(57)【要約】【課題】着用者が脚回り開口部に足を通す際に、サイドシート（防漏壁部）に足が引っ掛かり難い吸収性物品を提供する。【解決手段】吸収性本体（１０）と、弾性部材（４１）を備えた一対の防漏壁部（４０）と、を有する吸収性物品（１）であって、前記一対の防漏壁部（４０）は、内側防漏壁部（４２）と外側防漏壁部（４３）とをそれぞれ有し、股間部において固定部（５０）が設けられ、前記固定部（５０）は、前記弾性部材（４１）の伸長時において、長手方向における、前記固定部（５０）の前記幅方向の外側端（４３ａ）の寸法をＬｏとし、内側端（４３ｂ）の寸法をＬｉとし、前記弾性部材（４１）の収縮時において、前記長手方向における、前記固定部（５０）の前記幅方向の外側端（４３ａ）の寸法をＬｏ´とし、内側端（４３ｂ）の寸法をＬｉ´としたときに、（Ｌｉ−Ｌｉ´）／Ｌｉ＞（Ｌｏ−Ｌｏ´）／Ｌｏである。【選択図】図４
2020099594.tif 000002
【特許請求の範囲】
【請求項１】
展開状態において互いに交差する長手方向と幅方向と厚さ方向とを有し、
吸収性コア及び肌側シートを備えた吸収性本体と、
前記長手方向に伸縮する弾性部材を備え、前記吸収性本体の前記幅方向の両側に設けられた一対の防漏壁部と、
を有する吸収性物品であって、
前記一対の防漏壁部は、前記長手方向に沿って折り曲げられることにより、最も肌側に配置される内側防漏壁部と、前記内側防漏壁部よりも非肌側に配置される外側防漏壁部とをそれぞれ有し、
着用者の股間に対応する股間部において、前記外側防漏壁部の少なくとも一部と前記肌側シートとを固定する固定部が設けられ、
前記固定部は、前記厚さ方向において、前記吸収性コアと重ならず、
前記弾性部材を伸長させた状態において、前記長手方向における、前記固定部の前記幅方向の外側端の寸法をＬｏとし、前記固定部の前記幅方向の内側端の寸法をＬｉとし、
前記弾性部材を収縮させた状態において、前記長手方向における、前記固定部の前記幅方向の外側端の寸法をＬｏ´とし、前記固定部の前記幅方向の内側端の寸法をＬｉ´としたときに、
（Ｌｉ−Ｌｉ´）／Ｌｉ＞（Ｌｏ−Ｌｏ´）／Ｌｏである
ことを特徴とする吸収性物品。
【請求項２】
請求項１に記載の吸収性物品であって、
前記固定部のうちの、前記吸収性本体が位置する側を内固定部とし、逆側を外固定部としたとき、
前記内固定部を単位長さだけ伸長させるための力の大きさは、前記外固定部を単位長さだけ伸長させるための力の大きさ以上である
ことを特徴とする吸収性物品。
【請求項３】
請求項１又は請求項２に記載の吸収性物品であって、
前記Ｌｏ´は、前記Ｌｉ´の１．１倍以上３．０倍以下である
ことを特徴とする吸収性物品。
【請求項４】
請求項１から請求項３のいずれか１項に記載の吸収性物品であって、
前記長手方向において、前記固定部の長さは、前記吸収性本体の長さよりも短い
ことを特徴とする吸収性物品。
【請求項５】
請求項１から請求項４のいずれか１項に記載の吸収性物品であって、
前記固定部の前記幅方向の外側には、前記外側防漏壁部が前記肌側シートに固定されていない非固定部が設けられている
ことを特徴とする吸収性物品。
【請求項６】
請求項１から請求項５のいずれか１項に記載の吸収性物品であって、
前記固定部には、前記厚さ方向に重なる位置に、少なくとも１つの前記弾性部材が設けられている
ことを特徴とする吸収性物品。
【請求項７】
請求項６に記載の吸収性物品であって、
前記固定部のうちの、前記吸収性本体が位置する側を内固定部とし、逆側を外固定部としたとき、
前記少なくとも１つの前記弾性部材は、前記内固定部と前記厚さ方向に重なる位置に設けられ、
前記外側防漏壁部のうちの、前記幅方向における前記少なくとも１つの前記弾性部材よりも外側の領域は、前記弾性部材が存在しない非存在領域である
ことを特徴とする吸収性物品。
【請求項８】
請求項６に記載の吸収性物品であって、
前記少なくとも１つの前記弾性部材が配置されている位置から、前記外側防漏壁部の前記幅方向の内側端までの前記外側防漏壁部に沿った長さと、前記内側防漏壁部の前記幅方向の内側端から外側端までの前記内側防漏壁部に沿った長さとの合計は、前記少なくとも１つの前記弾性部材が配置されている位置から前記外側防漏壁部の前記幅方向の外側端までの前記外側防漏壁部に沿った長さよりも長い
ことを特徴とする吸収性物品。
【発明の詳細な説明】
【技術分野】
【０００１】
本発明は、吸収性物品に関する。
【背景技術】
【０００２】
パンツ型吸収性物品として、パンツ型使い捨ておむつが知られている。特許文献１には、外側シート部材と、外側シート部材の肌面側に接合される吸収性本体と、吸収性本体の左右両側端部に設けられるサイドシートとを備えたパンツ型使い捨ておむつが開示されている。特許文献１のおむつでは、サイドシートのほぼ全長にわたって、起立用弾性部材（３８，３９）が吸収性本体の長手方向に伸長した状態で取り付けられている。そして、起立用弾性部材の収縮によってサイドシートが着用者の肌側に立ち上がり、所謂防漏壁として機能する。
【先行技術文献】
【特許文献】
【０００３】
【特許文献１】特開２０１０−９４３３４号
【発明の概要】
【発明が解決しようとする課題】
【０００４】
特許文献１のおむつでは、サイドシート（防漏壁）は、吸収性本体の幅方向両側端部近傍に設けた折曲部を軸に折り曲げられることにより、上側サイドシートと下側サイドシートとを有し、下側サイドシートは、トップシートと接着層を介して接合している。そして、折曲部の折り返し端部近傍に取り付けられた起立用弾性部材によって吸収性本体自体の両側縁部近傍を立ち上がらせるが、そのような折り返し端部近傍のサイドシートの立ち上がりは、脚回り開口部に足を通す際に足が引っ掛かり、抜けにくくなる虞がある。
【０００５】
本発明は、上記のような従来の問題に鑑みてなされたものであって、その目的は、着用者が脚回り開口部に足を通す際に、サイドシート（防漏壁部）に足が引っ掛かり難い吸収性物品を提供することにある。
【課題を解決するための手段】
【０００６】
上記目的を達成するための主たる発明は、展開状態において互いに交差する長手方向と幅方向と厚さ方向とを有し、吸収性コア及び肌側シートを備えた吸収性本体と、前記長手方向に伸縮する弾性部材を備え、前記吸収性本体の前記幅方向の両側に設けられた一対の防漏壁部と、を有する吸収性物品であって、前記一対の防漏壁部は、前記長手方向に沿って折り曲げられることにより、最も肌側に配置される内側防漏壁部と、前記内側防漏壁部よりも非肌側に配置される外側防漏壁部とをそれぞれ有し、着用者の股間に対応する股間部において、前記外側防漏壁部の少なくとも一部と前記肌側シートとを固定する固定部が設けられ、前記固定部は、前記厚さ方向において、前記吸収性コアと重ならず、前記弾性部材を伸長させた状態において、前記長手方向における、前記固定部の前記幅方向の外側端の寸法をＬｏとし、前記固定部の前記幅方向の内側端の寸法をＬｉとし、前記弾性部材を収縮させた状態において、前記長手方向における、前記固定部の前記幅方向の外側端の寸法をＬｏ´とし、前記固定部の前記幅方向の内側端の寸法をＬｉ´としたときに、（Ｌｉ−Ｌｉ´）／Ｌｉ＞（Ｌｏ−Ｌｏ´）／Ｌｏである、ことを特徴とする吸収性物品である。  
本発明の他の特徴については、本明細書及び添付図面の記載により明らかにする。
【発明の効果】
【０００７】
本発明によれば、着用者が脚回り開口部に足を通す際に、サイドシート（防漏壁部）に足が引っ掛かり難い吸収性物品を提供することができる。
【図面の簡単な説明】
【０００８】
【図１】おむつ１の概略正面図である。
【図２】展開かつ伸長状態のおむつ１の概略平面図である。
【図３】図２のＩ−Ｉ線での概略断面図である。
【図４】図３の左右方向左側の防漏壁部４０を拡大した図である
【図５】図５Ａは、防漏壁弾性部材４１の伸長時及び収縮時の固定部５０を示す図であり、図５Ｂは及び図５Ｃは、それぞれ、固定部５０の変形例を示す図である。
【発明を実施するための形態】
【０００９】
本明細書及び添付図面の記載により、少なくとも以下の事項が明らかとなる。  
展開状態において互いに交差する長手方向と幅方向と厚さ方向とを有し、吸収性コア及び肌側シートを備えた吸収性本体と、前記長手方向に伸縮する弾性部材を備え、前記吸収性本体の前記幅方向の両側に設けられた一対の防漏壁部と、を有する吸収性物品であって、前記一対の防漏壁部は、前記長手方向に沿って折り曲げられることにより、最も肌側に配置される内側防漏壁部と、前記内側防漏壁部よりも非肌側に配置される外側防漏壁部とをそれぞれ有し、着用者の股間に対応する股間部において、前記外側防漏壁部の少なくとも一部と前記肌側シートとを固定する固定部が設けられ、前記固定部は、前記厚さ方向において、前記吸収性コアと重ならず、前記弾性部材を伸長させた状態において、前記長手方向における、前記固定部の前記幅方向の外側端の寸法をＬｏとし、前記固定部の前記幅方向の内側端の寸法をＬｉとし、前記弾性部材を収縮させた状態において、前記長手方向における、前記固定部の前記幅方向の外側端の寸法をＬｏ´とし、前記固定部の前記幅方向の内側端の寸法をＬｉ´としたときに、（Ｌｉ−Ｌｉ´）／Ｌｉ＞（Ｌｏ−Ｌｏ´）／Ｌｏである、ことを特徴とする吸収性物品。
【００１０】
このような吸収性物品によれば、外側防漏壁部と肌側シートを股間部で固定することにより、内側及び外側防漏壁部の高さを、足が引っ掛かり易い股間部のみ低減でき、着脱時に足が抜け易くなる。また、内側及び外側防漏壁部の他の部分の高さは確保されるため、漏れを防止できる。さらに、外側防漏壁部は、縮みが弱いことによって収縮後の寸法が長くなる幅方向外側端側が下向きに倒れるため、防漏壁部が肌に面でフィットして漏れをさらに防ぐ。
【００１１】
かかる吸収性物品であって、前記固定部のうちの、前記吸収性本体が位置する側を内固定部とし、逆側を外固定部としたとき、前記内固定部を単位長さだけ伸長させるための力の大きさは、前記外固定部を単位長さだけ伸長させるための力の大きさ以上であることが望ましい。
【００１２】
このような吸収性物品によれば、内固定部を伸長させる力よりも弱い力で外固定部を伸長させることができるため、吸収性物品の着脱時に外固定部に足が接触しても、引っ掛かりにくく、抜け易くなる。
【００１３】
かかる吸収性物品であって、前記Ｌｏ´は、前記Ｌｉ´の１．１倍以上３．０倍以下であることが望ましい。
【００１４】
このような吸収性物品によれば、固定部の内側端の寸法の１．１倍以上となることで、固定部の起立が抑制され、内側防漏壁部と外側防漏壁部とが重なりにくくなり、脚回り開口部に足を通す際に足が引っ掛かりにくくなる。また、３．０倍よりも大きくなると、吸収性本体まで縮んでしまい、排泄物の収容空間が減少するが、３．０倍以内にすることで吸収性本体の縮みを防ぐことができ、漏れ及び漏れ不安を防止できる。
【００１５】
かかる吸収性物品であって、前記長手方向において、前記固定部の長さは、前記吸収性本体の長さよりも短いことが望ましい。
【００１６】
このような吸収性物品によれば、長手方向において、足が引っ掛かりやすい部分にのみ固定部を設けることで、他の部分の防漏壁部の高さを確保し、防漏機能を阻害しない。
【００１７】
かかる吸収性物品であって、前記固定部の前記幅方向の外側には、前記外側防漏壁部が前記肌側シートに固定されていない非固定部が設けられていることが望ましい。
【００１８】
このような吸収性物品によれば、外側防漏壁部の外側端に肌側シートと固定されていない部分（接着剤のない部分）が存在することで、固定されていない部分は肌当たりが向上する。
【００１９】
かかる吸収性物品であって、前記固定部には、前記厚さ方向に重なる位置に、少なくとも１つの前記弾性部材が設けられていることが望ましい。
【００２０】
このような吸収性物品によれば、固定部に配置された弾性部材によって、固定部を収縮させるだけでなく、固定部で固定されている肌側シートも収縮させることによって適度に起立可能となり、外側防漏壁部の防漏機能を保つことができる。
【００２１】
かかる吸収性物品であって、前記固定部のうちの、前記吸収性本体が位置する側を内固定部とし、逆側を外固定部としたとき、前記少なくとも１つの前記弾性部材は、前記内固定部と前記厚さ方向に重なる位置に設けられ、前記外側防漏壁部のうちの、前記幅方向における前記少なくとも１つの前記弾性部材よりも外側の領域は、前記弾性部材が存在しない非存在領域であることが望ましい。
【００２２】
このような吸収性物品によれば、外側防漏壁部の幅方向外側（先端側）に弾性部材が配置されると外側防漏壁部の起立が高くなってしまい、足を通し難くなるが、外側に弾性部材が存在しないことで外側端の収縮が弱まり、下向きに倒れ易くなる。外側防漏壁部が下向きに倒れ易いことで、着脱時に着用者の足が外側防漏壁部に引っ掛かりにくくなる。
【００２３】
かかる吸収性物品であって、前記少なくとも１つの前記弾性部材が配置されている位置から、前記外側防漏壁部の前記幅方向の内側端までの前記外側防漏壁部に沿った長さと、前記内側防漏壁部の前記幅方向の内側端から外側端までの前記内側防漏壁部に沿った長さとの合計は、前記少なくとも１つの前記弾性部材が配置されている位置から前記外側防漏壁部の前記幅方向の外側端までの前記外側防漏壁部に沿った長さよりも長いことが望ましい。
【００２４】
このような吸収性物品によれば、固定部に設けられた弾性部材は、固定部（及び外側防漏壁部）を起立可能にさせる支点であり、当該支点から外側防漏壁部の幅方向外側端までの長さは、外側防漏壁部が起立可能となる長さである。この支点から外側防漏壁部の幅方向内側端までの長さと、内側防漏壁部の幅方向の内側端から外側端までの長さとの合計は、内側防漏壁部が起立可能となる長さである。外側防漏壁部が起立可能となる長さを、内側防漏壁部が起立可能となる長さよりも長くした場合に比べて、内側防漏壁部が起立可能となる長さを長くした場合の方が、外側防漏壁部側への排泄物の流出を塞き止め、防漏機能を維持できる。また、外側防漏壁部側への排泄物の流れ込みを防ぐことにより、排泄物が吸収性コアへと誘導され、吸収性コアでより多くの排泄物を吸収できる。
【００２５】
＝＝＝実施形態＝＝＝
以下、本発明に係る吸収性物品として、大人用のパンツ型使い捨ておむつ（以下、「おむつ１」とも呼ぶ）を例に挙げて実施形態を説明する。ただし、本発明に係る吸収性物品は、乳幼児用の使い捨ておむつや、生理用ショーツ等としても利用可能である。
【００２６】
＜おむつ１の構成＞
図１は、おむつ１の概略正面図である。図２は、展開かつ伸長状態のおむつ１の概略平面図である。図３は、図２のＩ−Ｉ線での概略断面図である。ここで、「展開状態」とは、おむつ１の幅方向における、腹側胴回り部（後述する胴回り部２０）の両端部と、背側胴回り部（後述する胴回り部３０）の両端部との接合を解き、腹側胴回り部と背側胴回り部とを分離するとともに、おむつ１をその長手方向に開くことで、おむつ１を平面上に展開した状態のことである。また、おむつ１の「伸長状態」とは、おむつ１全体（製品全体）を皺なく伸長させた状態、具体的には、おむつ１を構成する各部材（例えば、後述する吸収性本体１０や，胴回り部２０，３０等）の寸法がその部材単体の寸法と一致又はそれに近い寸法になるまで伸長させた状態のことを言う。
【００２７】
おむつ１は、図１に示されるパンツ型状態において、互いに交差する上下方向と幅方向（左右方向）と前後方向とを有し、胴回り開口部ＢＨと一対の脚回り開口部ＬＨとを有している。上下方向の上側が胴回り開口部ＢＨ側に対応し、下側が股下側に対応する。また、前後方向の前側が着用者の腹側に対応し、後側が着用者の背側に対応する。また、図２の展開状態においては、おむつ１は、互いに交差する長手方向と幅方向（左右方向）とを有する。以下では、この展開状態における長手方向の一方側のことを「腹側」若しくは「前側」とも呼び、長手方向の他方側のことを「背側」若しくは「後側」とも呼ぶ。なお、展開状態における上記の幅方向は、パンツ型状態における上記の左右方向と同じ方向である。展開状態の長手方向は、パンツ型状態の上下方向に沿った方向である。また、図３に示すように、おむつ１を構成する資材が積層された方向を厚さ方向と言う。厚さ方向において着用者に接する側を肌側とし、その反対側を非肌側とする。
【００２８】
おむつ１は、吸収性本体１０と、腹側胴回り部２０と、背側胴回り部３０とを有する。図１に示すパンツ型状態のおむつ１において、吸収性本体１０（後述の吸収性コア１１）は上下方向に沿って配置されており、上下方向の下端部にて前後に折り曲げられている。そして、前後方向の前側の吸収性本体１０の上端部に、非肌側から腹側胴回り部２０が接合され、前後方向の後側の吸収性本体１０の上端部に、非肌側から背側胴回り部３０が接合されている。
【００２９】
図２の展開状態のおむつ１において、腹側胴回り部２０及び背側胴回り部３０は、それらの長手方向がおむつ１の幅方向（左右方向）に沿うように配置されている。そして、幅方向における腹側胴回り部２０の中央部に、吸収性本体１０の長手方向の一方側（前側）の端部が配置され、幅方向における背側胴回り部３０の中央部に、吸収性本体１０の長手方向の他方側（後側）の端部が配置されている。図２の展開状態から、吸収性本体１０が長手方向の略中央で二つ折りされ、幅方向における腹側胴回り部２０の両端部と、幅方向における背側胴回り部３０の両端部とが、溶着等で接合されることにより、パンツ型状態のおむつ１となる。
【００３０】
吸収性本体１０は、排泄液を吸収する吸収性コア１１と、吸収性コア１１よりも着用者の肌側に配置された親水性の肌側シート１２と、吸収性コア１１よりも非肌側に配置された液不透過性の非肌側シート１３と、シート部材１４とを有する。肌側シート１２は、吸収性コア１１を巻き込むように、幅方向の両側部が非肌側に折り返されている。シート部材１４は、ある部分が非肌側シート１３よりも非肌側に配置されるとともに、他の部分が肌側シート１２よりも肌側において防漏壁部４０を形成している。
【００３１】
吸収性コア１１は、高吸収性ポリマー（所謂ＳＡＰ）を含むパルプ繊維等の液体吸収性繊維を所定形状に成形したものである。また、吸収性コア１１は、液透過性のコアラップシート１５によって被覆されていても良い。
【００３２】
また、本実施形態の吸収性コア１１は、長手方向の中央部において、前側端部及び後側端部と比較して幅方向における長さが短くなった（幅が狭くなった）くびれ部１１Ｃを有しており、図２に示されるように平面視略砂時計型の形状となっている。このくびれ部１１Ｃは、おむつ１の着用時において着用者の両脚の間に挟まれる部分であり、当該部分の幅方向における長さが短く（幅が狭く）なっていることにより、吸収性コア１１が着用者の股間にフィットしやすくなる。なお、吸収性コア１１の形状は、上記の平面視略砂時計形状に限らず、例えば、平面視略矩形形状でもよい。
【００３３】
腹側胴回り部２０及び背側胴回り部３０は、それぞれ、内層シート２１，３１と、内層シート２１，３１よりも非肌側に配置された外層シート２２，３２と、胴回り弾性部材２３，３３とを有する。胴回り弾性部材２３，３３は、内層シート２１，３１と外層シート２２，３２の間において、パンツ型状態の上下方向に並んで配置されるとともに、左右方向に伸長状態で固定されている。よって、腹側胴回り部２０及び背側胴回り部３０は、着用者の胴回りにフィットする。また、吸収性本体１０の上端部を肌側から覆うカバーシート（不図示）が設けられていてもよい。
【００３４】
図２の展開かつ伸長状態において、腹側胴回り部２０は平面視矩形状である。背側胴回り部３０は、前後方向において腹側胴回り部２０と重複する重複部３０Ａと、腹側胴回り部２０よりも下側に延出する延出部３０Ｂとを有する。重複部３０Ａは平面視矩形状であり、延出部３０Ｂは平面視逆台形状である。延出部３０Ｂによって着用者の臀部を被覆できる。一方、腹側胴回り部２０は、背側胴回り部３０に比べて上下方向の長さが短く、股下側まで延びていない。そのため、歩行時等に腹側に引き上げられる脚の動きが阻害されず、歩行しやすい。
【００３５】
また、背側胴回り部３０の延出部３０Ｂには、その下端に沿って延出部弾性部材３５が設けられている。延出部弾性部材３５は、具体的には、上下方向の下側に向かい、且つ、左右方向の内側に傾いて配置された一対の傾斜部３５１と、一対の傾斜部３５１の間において左右方向に沿って配置された直線部３５２とを有する。延出部弾性部材３５は、胴回り弾性部材３３と同様に、内層シート３１と外層シート３２の間において伸長状態で固定されている。延出部弾性部材３５によって、延出部３０Ｂは着用者の臀部にフィットし、延出部３０Ｂのめくれを抑えられる。
【００３６】
ただし、上記に限らない。例えば、腹側胴回り部２０が、背側胴回り部３０と同じ平面形状であり、背側胴回り部３０の延出部弾性部材３５と同様の弾性部材を備えていても良い。すなわち、腹側胴回り部２０が、上下方向の下側端部において、上下方向の下側、且つ、左右方向の内側に傾く傾斜弾性部材を備えていても良い。また、逆に、背側胴回り部３０が、腹側胴回り部２０と同じ平面視矩形状であり、延出部弾性部材３５を備えていなくても良い。
【００３７】
吸収性本体１０は、幅方向の両側部において、その長手方向に沿う一対の防漏壁部４０が設けられている。本実施形態において、一対の防漏壁部４０は、それぞれ、吸収性本体１０の外装を構成するシート部材１４が、図３のように長手方向に沿って複数個所にて折り曲げられることによって形成されている。具体的には、図３の折り曲げ位置ｆ１にて折り曲げられ、２層に重ねられたシート部材１４が、折り曲げ位置ｆ２及び折り曲げ位置ｆ３にてさらに折り曲げられている。
【００３８】
この防漏壁部４０のうち、折り曲げ線ｆ１とｆ２の間の部位を「内側防漏壁部４２」とする。内側防漏壁部４２は、一対の防漏壁部４０の長手方向に沿った折り曲げにより、最も肌側に位置している。また、内側防漏壁部４２よりも非肌側に配置され、折り曲げ線ｆ２とｆ３の間の部位を「外側防漏壁部４３」とする。
【００３９】
そして、防漏壁部４０において、積層された２枚のシート部材１４、１４の間には、所定の伸縮部材が吸収性本体１０の長手方向（図１のおむつ１の上下方向）に伸長した状態で固定されている。本実施形態では、伸縮部材として、糸ゴム等の防漏壁弾性部材４１が幅方向に並んで複数配置されている。おむつ１の着用時には、防漏壁弾性部材４１（弾性部材）が発現する伸縮性に基づいて、防漏壁部４０が吸収性本体１０の長手方向に沿って収縮するとともに着用者の肌側に起立し、着用者の股間部にフィットする。
【００４０】
なお、防漏壁部４０は、吸収性本体１０の長手方向における前側端部に設けられた前側固定部５１によって、該前側端部においては起立不能に固定されている。同様に、防漏壁部４０は、吸収性本体１０の長手方向における後側端部に設けられた後側固定部５２によって、該後側端部においては起立不能に固定されている（図２参照）。
【００４１】
したがって、防漏壁部４０は、吸収性本体１０の長手方向において、前側固定部５１と後側固定部５２の間の領域で着用者の肌側に起立可能となる。また、例えば着用者が寝姿勢である場合に、防漏壁部４０で堰き止めた排泄液が前後に流れたとしても、前側固定部５１及び後側固定部５２によって排泄液を堰き止めることができ、前漏れや後ろ漏れを抑制できる。
【００４２】
また、おむつ１を着用した際に着用者の股間に対応する股間部には、一対の防漏壁部４０の各外側防漏壁部４３の少なくとも一部と、吸収性本体１０の肌側シート１２とを固定する固定部５０が設けられている。本実施形態の固定部５０は、図２のように、前側固定部５１及び後側固定部５２と長手方向に間隔を空けて設けられている。なお、固定部５０、前側固定部５１及び後側固定部５２は、いずれもホットメルト接着剤、ヒートシール、超音波シール等によって接合されている。固定部５０については、めくれ及び剥がれを防ぐために、接着強さが１．０Ｎ／２５ｍｍ以上であることが望ましい。
【００４３】
＜固定部５０について＞
図４は、図３の左右方向左側の防漏壁部４０を拡大した図である。図５Ａは、防漏壁弾性部材４１の伸長時及び収縮時の固定部５０を示し、図５Ｂ及び図５Ｃは、固定部５０の各変形例における、防漏壁弾性部材４１の伸長時及び収縮時の固定部５０を示している。
【００４４】
上述のように、シート部材１４等の資材を長手方向に沿って折り曲げることによって一対の防漏壁部４０を形成し、弾性部材（４１）によって当該防漏壁部４０を長手方向に沿って収縮させると、厚さ方向に複数存在する防漏壁部（本実施形態の例では内側防漏壁部４２及び外側防漏壁部４３）が起立することによって、漏れを防止することは可能であるが、着脱時に着用者の足が防漏壁部４０に引っ掛かるおそれがあった。
【００４５】
この点に関し、おむつ１では、図３で説明したように、吸収性本体１０（肌側シート１２）の肌側面と、防漏壁部４０（シート部材１４）の外側防漏壁部４３の非肌側面の少なくとも一部とが、固定部５０によって接合されている。固定部５０は、着用者の股間に対応する股間部に形成されるため、内側防漏壁部４２と外側防漏壁部４３の高さを着用者の足が引っ掛かりやすい股間部のみ低減することができ、おむつ１の着脱時に足を抜け易くさせることができる。また、内側防漏壁部４２及び外側防漏壁部４３の他の部分（すなわち、固定部５０が形成されていない部分）の厚さ方向の高さは確保されるため、排泄物の漏れを防止することができる。
【００４６】
また、固定部５０は、厚さ方向において、吸収性コア１１と重なっていない（図３及び図４参照）。固定部５０は、外側防漏壁部４３と肌側シート１２とを接合していることから、弾性部材４１により長手方向に沿って外側防漏壁部４３を収縮させると、固定部５０、肌側シート１２、肌側シート１２よりも非肌側に配置された非肌側シート１３、及び最も非肌側に位置するシート部材１４まで一緒に収縮する。それにより、厚さ方向において、外側防漏壁部４３からシート部材１４までが一体的に起立可能となり、防漏壁（外側防漏壁部４３）として機能する。よって、吸収性コア１１と厚さ方向に重複しないように固定部５０を形成することにより、外側防漏壁部４３の収縮が阻害されず、外側防漏壁部４３は適度に起立可能となり、防漏機能を維持できる。換言すると、内側防漏壁部４２の外側に外側防漏壁部４３が形成され、これらの二重の防漏壁部によって、より確実に漏れが防止できる。
【００４７】
図４に示すように、本実施形態の内側防漏壁部４２には、４本の防漏壁弾性部材４１（４１ａ〜４１ｄ）が左右方向に並んで設けられている。内側防漏壁部４２の幅方向の外側端を４２ａとし、内側端を４２ｂとした場合、４本の防漏壁弾性部材４１ａ〜４１ｄは、幅方向の外側端４２ａに寄って配置されている。さらに、本実施形態の外側防漏壁部４３には、２本の防漏壁弾性部材４１（４１ｅ及び４１ｆ）が左右方向に並んで設けられている。外側防漏壁部４３の幅方向の外側端を４３ａとし、内側端を４３ｂとした場合、２本の防漏壁弾性部材４１ｅ及び４１ｆは、幅方向の内側端４３ｂに寄って配置されている。但し、防漏壁弾性部材４１（４１ａ〜４１ｆ）の配置や数量はこの限りではない。さらに、防漏壁弾性部材４１ｆは、外側防漏壁部４３と肌側シート１２とが接合されている固定部５０に、厚さ方向において重なっている。すなわち、防漏壁弾性部材４１ｆが長手方向に沿って収縮することによって、固定部５０も収縮させることができる。
【００４８】
図２に示すような伸長状態から、防漏壁弾性部材４１ｆをその伸縮性に基づいて長手方向に沿って収縮させた場合に、固定部５０の幅方向内側端５０１及び外側端５０２が収縮する割合を次のように説明する。図５Ａ〜Ｃは、防漏壁弾性部材４１ｆを長手方向に伸長させた状態及び収縮させた状態における固定部５０をそれぞれ平面視で示している。尚、ここでは、図２において左右方向に一対設けられている固定部５０のうち、例として右側の固定部５０を表している。防漏壁弾性部材４１ｆを長手方向に沿って皺がなくなるまで伸ばした状態において、長手方向における外側端５０２の寸法をＬｏとし、内側端５０１の寸法をＬｉとし、防漏壁弾性部材４１ｆを長手方向に沿って収縮させた状態において、長手方向における外側端５０２の寸法をＬｏ´とし、内側端５０１の寸法をＬｉ´とした場合に、固定部５０の幅方向の外側端５０２及び内側端５０１のそれぞれの単位長さ当たりの収縮した長さを比較すると、内側端５０１の単位長さ当たりの収縮した長さの方が長いことが望ましい。
【００４９】
この点につき、図５Ａを一例として説明する。図５Ａの固定部５０は、平面視略矩形形状に形成されている。図５Ａにおいて、防漏壁弾性部材４１ｆを長手方向に伸長させた際の内側端５０１の寸法Ｌｉを４ｃｍ、外側端５０２の寸法Ｌｏを４ｃｍとし、収縮後の内側端５０１の寸法Ｌｉ´を２ｃｍ、外側端５０２の寸法をＬｏ´を４ｃｍとする。その場合、内側端５０１側の収縮した長さ（Ｌｉ−Ｌｉ´）を伸長時の長さ（Ｌｉ）で除算する（（Ｌｉ−Ｌｉ´）／Ｌｉ）ことにより、単位長さ（ｃｍ）当たりの収縮した長さが算出される。上述の寸法から、（Ｌｉ−Ｌｉ´）／Ｌｉは０．５であり、内側端５０１は、単位長さ（ｃｍ）当たり０．５ｃｍ収縮したことが分かる。同様に、外側端５０２側の収縮した長さ（Ｌｏ−Ｌｏ´）を伸長時の長さ（Ｌｏ）で除算する（（Ｌｏ−Ｌｏ´）／Ｌｏ）ことにより、単位長さ（ｃｍ）当たりの収縮した長さは、０であることが分かる。このことから、長手方向において、固定部５０の幅方向の内側端５０１の単位長さ当たりの収縮した長さ（Ｌｉ−Ｌｉ´）／Ｌｉは、固定部５０の幅方向の外側端５０２の単位長さ当たりの収縮した長さ（Ｌｏ−Ｌｏ´）／Ｌｏよりも長くなっている、つまり、（Ｌｉ−Ｌｉ´）／Ｌｉ＞（Ｌｏ−Ｌｏ´）／Ｌｏの関係であることが分かる。すなわち、内側端５０１側の方がより収縮することを意味する。
【００５０】
図５Ｂは、防漏壁弾性部材４１ｆを長手方向に沿って伸長させた状態において、内側端５０１の長手方向の長さが外側端５０２の長さよりも短い場合を示している。図５Ｂの場合でも、例えば、防漏壁弾性部材４１ｆを長手方向に伸長させた際の内側端５０１の寸法Ｌｉを５ｃｍ、外側端５０２の寸法Ｌｏを７ｃｍとし、収縮後の内側端５０１の寸法Ｌｉ´を３ｃｍ、外側端５０２の寸法をＬｏ´を７ｃｍと考えると、（Ｌｉ−Ｌｉ´）／Ｌｉは０．４、（Ｌｏ−Ｌｏ´）／Ｌｏは０であり、（Ｌｉ−Ｌｉ´）／Ｌｉ＞（Ｌｏ−Ｌｏ´）／Ｌｏの関係が成り立つ。すなわち、長手方向において、外側端５０２の単位長さ当たりの収縮した長さよりも内側端５０１の単位長さ当たりの収縮した長さの方が長い。
【００５１】
図５Ｃは、防漏壁弾性部材４１ｆを長手方向に沿って伸長させた状態において、内側端５０１の長手方向の長さが外側端５０２の長さよりも長い場合を示している。図５Ｃにおいても、例えば、防漏壁弾性部材４１ｆを長手方向に伸長させた際の内側端５０１の寸法Ｌｉを６ｃｍ、外側端５０２の寸法Ｌｏを４ｃｍとし、収縮後の内側端５０１の寸法Ｌｉ´を３ｃｍ、外側端５０２の寸法をＬｏ´を４ｃｍと考えると、（Ｌｉ−Ｌｉ´）／Ｌｉは０．５、（Ｌｏ−Ｌｏ´）／Ｌｏは０であり、（Ｌｉ−Ｌｉ´）／Ｌｉ＞（Ｌｏ−Ｌｏ´）／Ｌｏの関係が成り立つ。すなわち、長手方向において、内側端５０１の単位長さ当たりの収縮した長さの方が長い。
【００５２】
このように、固定部５０は、幅方向の内側端５０１側に対して外側端５０２側の収縮は弱い。固定部５０が設けられている外側防漏壁部４３は、収縮が弱いことによって収縮後の長手方向の寸法が長くなる外側端５０２側が下向き（厚さ方向の非肌側）に倒れる。それにより、着用者は、おむつ１の着脱の際、外側防漏壁部４３に足が引っ掛かりにくくなる。また、外側防漏壁部４３が下向きに倒れることから、外側防漏壁部４３が着用者の肌（内腿）に外側防漏壁部４３の先端（外側端５０２）が下を向いた状態で面でフィットし、漏れを防止することができる。
【００５３】
また、収縮後の外側端５０２の寸法Ｌｏ´及び内側端５０１の寸法Ｌｉ´については、外側端５０２の寸法Ｌｏ´が内側端５０１の寸法Ｌｉ´の１．１倍以上３．０倍以下であることが好ましい。収縮後の外側端５０２の寸法Ｌｏ´が、内側端５０１の寸法Ｌｉ´の１．１倍以上となることで、固定部５０の肌側方向への起立が抑制され、内側防漏壁部４２と外側防漏壁部４３とが重なり難くなり、脚回り開口部ＬＨに足を通す際に足が引っ掛かりにくくなる。また、外側端５０２の寸法Ｌｏ´が内側端５０１の寸法Ｌｉ´の３．０倍よりも大きくなると、吸収性本体１０まで縮んでしまう虞があり、且つ、排泄物の収容空間が減少してしまう。外側端５０２の寸法Ｌｏ´を内側端５０１の寸法Ｌｉ´の３．０倍以内にすることで、吸収性本体１０の縮みを防ぐことができ、漏れ及び漏れに対する不安を防止することができる。
【００５４】
また、図４に示すように、本実施形態の固定部５０のうち、左右方向の中央位置を基準として、吸収性本体１０が位置する側を内固定部５０ａとし、逆側を外固定部５０ｂとする。図２に示す伸長状態を解除しておむつ１を自然状態にした場合、固定部５０においては、以下に説明するように、その自然状態から内固定部５０ａを単位長さだけ伸長させるために必要となる力は、外固定部５０ｂを単位長さだけ伸長させるために必要となる力以上である。
【００５５】
なお、「自然状態」とは、おむつ１や腹側及び背側胴回り部２０、３０を所定時間放置したときの状態である。例えば、おむつ１の腹側胴回り部２０及び背側胴回り部３０を左右方向の両外側に引っ張り、各胴回り部２０、３０を「伸長させた状態」として、この伸長状態を１５秒間継続させた後、おむつ１の引っ張りを解除して机等の平面に置く。そしてこのような平面平置きで５分間経過させた状態を自然状態とする。
【００５６】
内固定部５０ａには、固定部５０の幅方向の内側端５０１が含まれ、内固定部５０ａと厚さ方向に重なる位置に、防漏壁弾性部材４１ｆが設けられている。外固定部５０ｂには、固定部５０の幅方向の外側端５０２が含まれ、厚さ方向において防漏壁弾性部材は設けられていない。自然状態から内固定部５０ａを単位長さだけ伸長させるために必要となる力とは、内側端５０１部分を掴みしろとして、内固定部５０ａを長手方向において所定の長さだけ掴み、当該掴んだ部分を単位長さだけ伸長させたときの力のことである。同様に、自然状態から外固定部５０ｂを単位長さだけ伸長させるために必要となる力とは、外側端５０２部分を掴みしろとして、外固定部５０ｂを長手方向において所定の長さだけ掴み、当該掴んだ部分を上記と同じ単位長さだけ伸長させたときの力のことである。厚さ方向において防漏壁弾性部材が存在せず、収縮が弱い外固定部５０ｂは、内固定部５０ａを伸長させるために必要となる力よりも弱い力で伸長可能となる。このことから、おむつ１の着脱時に、着用者の足が外固定部５０ｂに接触しても引っ掛かりにくく、足を抜け易くさせることができる。
【００５７】
また、固定部５０は、長手方向における長さが、吸収性本体１０の長手方向の長さよりも短いことが望ましい。長手方向において全体的に固定部５０を設けてしまうと、防漏壁部４０（４２、４３）の起立を抑制して防漏機能が低減する可能性がある。しかし、足の引っ掛かりやすい部分にのみに（本実施形態では、股間部のみに）固定部５０を設けることで、固定部５０以外の部分の防漏壁部４０（４２、４３）の高さを確保し、防漏機能を阻害しないようにすることができる。
【００５８】
また、図３及び図４に示すように、固定部５０の幅方向の外側には、外側防漏壁部４３が肌側シート１２に固定されていない非固定部５５が設けられている。このような非固定部５５を設けることにより、外側防漏壁部４３の左右方向の外側端４３ａの硬さが軽減され、おむつ１着用時において着用者の身体（鼠径部）への肌当たりが柔らかくなる。したがって、より良好なフィット性を実現することができる。
【００５９】
また、上述のように、本実施形態の固定部５０には、防漏壁弾性部材４１ｆが厚さ方向に重なるように設けられている。このように、固定部５０には、厚さ方向に重なる位置に、少なくとも1つの弾性部材４１を設けることが望ましい。固定部５０と厚さ方向に重なる位置に弾性部材４１を配置することによって、固定部５０を収縮させるだけでなく、固定部５０で固定されている肌側シート１２も収縮させ、外側防漏壁部４３が適度に起立可能となり、外側防漏壁部４３の防漏機能を保つことができる。
【００６０】
また、図４に示すように、固定部５０と厚さ方向に重なる位置に配置される少なくとも1つの弾性部材（防漏壁弾性部材４１ｆ）は、固定部５０の内固定部５０ａと厚さ方向に重なる位置に設けられている。そして、外側防漏壁部４３のうち、幅方向における防漏壁弾性部材４１ｆよりも外側の領域は、弾性部材が存在しない非存在領域となっている。外側防漏壁部４３の幅方向の外側、すなわち、外側端４３ａ側に弾性部材４１を配置すると、外側防漏壁部４３の肌側への起立が高くなってしまい、足を通し難くなる虞がある。しかし、外側端４３ａ側に弾性部材４１が存在しないことで、外側端４３ａの収縮が弱まり、外側防漏壁部４３が下向きに倒れ易くなる。それにより、着用者は脚回り開口部ＬＨに足を通し易くなる。
【００６１】
また、本実施形態では、内側防漏壁部４２が肌側に起立可能となる長さは、外側防漏壁部４３が肌側に起立可能となる長さよりも長いことが望ましい。すなわち、図４に示すように、内側防漏壁部４２の幅方向の外側端４２ａから内側端４２ｂまでの内側防漏壁部４２に沿った長さをＬ１とし、防漏壁弾性部材４１ｆが配置されている位置から外側防漏壁部４３の幅方向の内側端４２ｂまでの外側防漏壁部４３に沿った長さをＬ２とし、防漏壁弾性部材４１ｆが配置されている位置から外側防漏壁部４３の幅方向の外側端４３ａまでの外側防漏壁部４３に沿った長さをＬ３とすると、Ｌ１とＬ２の長さの合計は、Ｌ３よりも長くなっている。
【００６２】
既に説明したように、防漏壁弾性部材４１ｆを長手方向に沿って収縮させると、厚さ方向に重なる位置に設けられた固定部により、外側防漏壁部４３（上述の長さＬ３の部分）、固定部５０、肌側シート１２、非肌側シート１３、及びシート部材１４が一体的に長手方向に収縮し、外側防漏壁部４３として起立可能となる。従ってＬ３は、外側防漏壁部４３が起立可能となる長さである。また、Ｌ１とＬ２の長さの合計は、内側防漏壁部４２が起立可能となる長さである。外側防漏壁部４３が起立可能となる長さ（Ｌ３）を、内側防漏壁部４２が起立可能となる長さ（Ｌ１＋Ｌ２）よりも長くした場合に比べて、内側防漏壁部４２が起立可能となる長さを長くした場合の方が、外側防漏壁部４３側への排泄物の流出を塞き止め、防漏機能を維持できる。また、外側防漏壁部４３側への排泄物の流れ込みを防ぐことにより、排泄物が吸収性コア１１へと誘導され、吸収性コア１１でより多くの排泄物を吸収できる。
【００６３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【００６４】
上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であっても良い。
【００６５】
上記の実施形態では、シート部材１４を折り曲げることによって防漏壁部４０が形成されていた。すなわち、防漏壁部４０がシート部材１４と一体的に形成されていたが、この限りではない。例えば、シート部材１４とは異なる別体のシート部材によって防漏壁部４０が形成されるのであっても良い。
【００６６】
上記の実施形態では、内側防漏壁部４２は、自由端部である先端（外側端４２ａ）が幅方向の外側に向くように折り曲げられていたが、これに限らない。内側防漏壁部４２は、自由端部である先端が幅方向の内側に向かうように折り曲げられることによって形成されても良い。
【符号の説明】
【００６７】
１  おむつ（吸収性物品）、
１０  吸収性本体、１１  吸収性コア、１１Ｃ  くびれ部、
１２  肌側シート、
１３  非肌側シート、
１４  シート部材、１５  コアラップシート、
２０  腹側胴回り部、２１  内層シート、２２  外層シート、
２３  胴回り弾性部材、
３０  背側胴回り部、３０Ａ  重複部、３０Ｂ  延出部
３１  内層シート、３２  外層シート、
３３  胴回り弾性部材、
３５  延出部弾性部材、３５１  傾斜部、３５２  直線部、
４０  防漏壁部、
４１  防漏壁弾性部材（弾性部材）、４１ａ〜４１ｆ  防漏壁弾性部材（弾性部材）、
４２  内側防漏壁部、４２ａ  外側端、４２ｂ  内側端、
４３  外側防漏壁部、４３ａ  外側端、４３ｂ  内側端、
５０  固定部、５０ａ  内固定部、５０ｂ  外固定部、
５１  前側固定部、５２  後側固定部、
５５  非固定部、
５０１  内側端、５０２  外側端、
ＢＨ  胴回り開口部、ＬＨ  脚回り開口部、
Ｌ１  長さ、Ｌ２  長さ、Ｌ３  長さ、
Ｌｏ  外側端５０２の寸法（伸長時）、Ｌｏ´  外側端５０２の寸法（収縮時）、
Ｌｉ  内側端５０１の寸法（伸長時）、Ｌｉ´  内側端５０１の寸法（収縮時）
【図１】
2020099594.tif 000003
【図２】
2020099594.tif 000004
【図３】
2020099594.tif 000005
【図４】
2020099594.tif 000006
【図５】
2020099594.tif 000007